(57)【要約】【課題】安価に提供でき得るペア点灯型の照明装置及び照明灯具を提供する。【解決手段】ペア点灯型の照明装置（ポーチライト）１は、親用光源ユニット２１が装着された親機７と子用光源ユニット２１が装着された子機９とを備え、親機７は、受電した商用電力を変換して出力する電源ユニット１５を備え、親用光源ユニット２１は、点灯時に電源ユニット１５から受電し、子機９は、親機１３に接続され、子用光源ユニット２１は、親用光源ユニット２１の点灯に合わせて、親機７を介して電源ユニット１５から変換された電力を受電する。【選択図】図８
2014032824.tif 000002
【特許請求の範囲】
【請求項１】
親用光源ユニットが装着されてなる親機と、子用光源ユニットが装着されてなる子機とを備えるペア点灯型の照明装置であって、
前記親機は、受電した商用電力を変換して直流電力を出力する電源ユニットを備え、前記親用光源ユニットは、前記電源ユニットに接続され、
前記子機は、前記子用光源ユニットが前記親用光源ユニットとともに前記電源ユニットに対して直列接続となる状態で、前記親機に電気的に接続され、
前記子用光源ユニットは前記親機の前記電源ユニットを経て直流電流を受電する
ことを特徴とする照明装置。
【請求項２】
前記親機は、前記親用光源ユニットが着脱自在に装着される親灯具を備え、
前記子機は、前記子用光源ユニットが着脱自在に装着される子灯具を備え、
前記親機における前記親用光源ユニットの着脱構造と、前記子機における前記子用光源ユニットの着脱構造とが同じであり、
前記親用光源ユニットと前記子用光源ユニットとが同じ構成である
ことを特徴とする請求項１に記載の照明装置。
【請求項３】
前記子機と前記親機との電気的接続は、前記子灯具と前記親灯具とを接続する複数の外用配線により行われ、
前記親灯具及び前記子灯具の少なくとも一方の灯具は、前記複数の外用配線の芯線の挿抜が自在であって挿入された前記芯線と電気的に接続する速結端子を備え、
前記子灯具は、前記親用光源ユニットに流れる直流電流と逆向きの直流電流が前記子用光源ユニットに流れるのを防止する逆電流防止手段を有する
ことを特徴とする請求項２に記載の照明装置。
【請求項４】
前記子用光源ユニットは光源としてＬＥＤを有し、
前記逆電流防止手段は、前記子用光源ユニットのＬＥＤの順電流の方向を順方向とするダイオードであり、
前記ダイオードの配置位置は、前記子用光源ユニットのＬＥＤの順方向と同じ方向の直流電流を受電した場合に前記子用光源ユニットの下流側である
ことを特徴とする請求項３に記載の照明装置。
【請求項５】
前記少なくとも一方の灯具は前記子灯具であり、
前記子灯具は、前記速結端子と前記子用光源ユニットとを電気的に接続する内用配線を有し、
前記内用配線における前記子用光源ユニット側の端部に灯具側コネクタを有し、
前記子用光源ユニットは、前記灯具側コネクタに着脱自在に装着されるユニット側コネクタを有し、
前記ダイオードは、前記速結端子と前記灯具側コネクタとを結ぶ導電路に設けられている
ことを特徴とする請求項４に記載の照明装置。
【請求項６】
前記子灯具は、表側が開口する筒状をし且つ中心軸方向の中間に前記中心軸に直交する仕切り壁を有する筐体を備え、
前記仕切り壁は、装着状態の前記灯具側コネクタと前記ユニット側コネクタとの通過を許容する開口を有し、
前記筐体は、前記仕切り壁の裏側の空間を、前記逆電流防止手段を収容する防止手段収容室と、前記装着状態の両コネクタを収容するコネクタ収容室とに区画する区画部を有する
ことを特徴とする請求項５に記載の照明装置。
【請求項７】
前記ダイオードと前記灯具側コネクタとを接続する内用配線が、前記区画部に固定されている
ことを特徴とする請求項６に記載の照明装置。
【請求項８】
親用光源ユニットが装着される親灯具と、
子用光源ユニットが装着される子灯具と、
受電した商用電力を変換して直流電力を出力する電源ユニットと
を備えるペア点灯型の照明灯具であって、
前記親灯具と前記子灯具とは、前記電源ユニットに対して直列接続され、前記電源ユニットから直流電流を受電する
ことを特徴とする照明灯具。
【発明の詳細な説明】
【技術分野】
【０００１】
本発明は、親機と子機とを備えるペア点灯型の照明装置及び照明灯具に関する。
【背景技術】
【０００２】
従来から、外玄関周辺を照らすポーチライト（玄関灯）やダウンライト、門から玄関までのアプローチを照らすアプローチライト等の照明装置がある。このような照明装置は、例えば、光源ユニットと、光源ユニットが装着される灯具と、灯具に装着されている光源ユニットを点灯させるため電源ユニットとを備える。また，上記照明装置においては、省エネ性や防犯性を目的として必要な時だけ点灯させるセンサとの組み合わせが多く採用されている。
【０００３】
一方、上記照明装置において、例えば、スペースの広い玄関口の場合、１つの照明装置では玄関スペース全体を照らすには明るさが不足するため、２つの照明装置を適度な間隔で配置し、片方の照明装置に備えられたセンサにより両方の照明装置の光源ユニットを同時に点灯させるようなタイプ（ペア点灯型である。）が提案されている。なお、このようなペア点灯型の照明装置をペア照明装置ともいう。
【０００４】
ペア照明装置を構成する親機は、親光源ユニット、親灯具及び親電源ユニットを備える。親電源ユニットは、受電した商用電力を変換して親灯具に装着されている親光源ユニットに給電する給電部を備える。
一方、子機も、子光源ユニット、子灯具及び子電源ユニットを備える。子電源ユニットも、親電源ユニットと同様に、受電した商用電力を変換して子光源ユニットに給電する給電部を備える。
【０００５】
親電源ユニットは、子電源ユニットと電気的に接続でき且つ接続された子機に対して商用電力を供給できる接続部を有している。この接続部を介して、子機の子電源ユニットが親電源ユニットに接続され、親機から商用電力を受電している。
これにより、子電源ユニットの給電部を、親電源ユニットの給電部と同じ構成にでき、電子部品等の共通化を図っている。
【先行技術文献】
【特許文献】
【０００６】
【特許文献１】特開２００３−１０９７７７号公報
【発明の概要】
【発明が解決しようとする課題】
【０００７】
ペア点灯型の照明装置に対するニーズが近年高まっている。上記ペア点灯型の照明装置が提案されているものの、高価なものとなっており、安価なペア点灯型の照明装置が求められている。
本発明は、安価に提供でき得るペア点灯型の照明装置及び照明灯具を提供することを目的とする。
【課題を解決するための手段】
【０００８】
上記の目的を達成するため、本発明の一態様に係るペア点灯型の照明装置は、親用光源ユニットが装着されてなる親機と、子用光源ユニットが装着されてなる子機とを備えるペア点灯型の照明装置であって、前記親機は、受電した商用電力を変換して直流電力を出力する電源ユニットを備え、前記親用光源ユニットは、前記電源ユニットに接続され、前記子機は、前記子用光源ユニットが前記親用光源ユニットとともに前記電源ユニットに対して直列接続となる状態で、前記親機に電気的に接続され、前記子用光源ユニットは前記親機の前記電源ユニットを経て直流電流を受電することを特徴としている。
【０００９】
また、上記の目的を達成するため、本発明の一態様に係るペア点灯型の照明灯具は、親用光源ユニットが装着される親灯具と、子用光源ユニットが装着される子灯具と、受電した商用電力を変換して直流電力を出力する電源ユニットとを備えるペア点灯型の照明灯具であって、前記親灯具と前記子灯具とは、前記電源ユニットに対して直列接続され、前記電源ユニットから直流電流を受電することを特徴としている。
【発明の効果】
【００１０】
上記の照明装置の構成によれば、子機は、親機から変換された直流電流を受電するため、商用電力を変換する電力変換回路が不要となる。これにより、安価に照明装置を提供できる。
また、上記照明灯具の構成によれば、親灯具と子灯具とは、電源ユニットから直流電流を受電するため、子灯具における商用電力を変換する電力変換回路が不要となる。これにより、安価に照明器具を提供できる。
【図面の簡単な説明】
【００１１】
【図１】ポーチライトの使用を示す斜視図。
【図２】ポーチライトの使用状態を説明する説明図。
【図３】天井壁に装着されたポーチライトを天井壁よりも上方側から見た斜視図。
【図４】天井壁に装着されたポーチライトを天井壁よりも上方側から見た平面図。
【図５】天井壁に装着されたポーチライトを天井壁よりも下方側から見た底面図。
【図６】親灯具の断面図。
【図７】電源ユニットの断面図。
【図８】照明装置の回路図。
【図９】制御回路部のフローチャート。
【図１０】子機の断面図。
【図１１】第２の実施形態に係る天井壁に装着されたポーチライトを天井壁よりも上方側から見た斜視図。
【図１２】第２の実施形態に係る親機と接続ユニットの断面図。
【図１３】第３の実施形態に係る照明装置の給電経路を示す概略図。
【図１４】第３の実施形態に係る子機の断面図。
【図１５】子機の箱本体の内容の様子を示す要部斜視図。
【発明を実施するための形態】
【００１２】
発明に係る一形態は、親用光源ユニットが装着されてなる親機と、子用光源ユニットが装着されてなる子機とを備えるペア点灯型の照明装置であって、前記親機は、受電した商用電力を変換して直流電力を出力する電源ユニットを備え、前記親用光源ユニットは、前記電源ユニットに接続され、前記子機は、前記子用光源ユニットが前記親用光源ユニットとともに前記電源ユニットに対して直列接続となる状態で、前記親機に電気的に接続され、前記子用光源ユニットは前記親機の前記電源ユニットを経て直流電流を受電することを特徴とする。
【００１３】
また、前記親機は、前記親用光源ユニットが着脱自在に装着される親灯具を備え、前記子機は、前記子用光源ユニットが着脱自在に装着される子灯具を備え、前記親機における前記親用光源ユニットの着脱構造と、前記子機における前記子用光源ユニットの着脱構造とが同じであり、前記親用光源ユニットと前記子用光源ユニットとが同じ構成であることを特徴とする。この構成によれば、光源ユニットの共通化を図ることができる。
【００１４】
また、前記子機と前記親機との電気的接続は、前記子灯具と前記親灯具とを接続する複数の外用配線により行われ、前記親灯具及び前記子灯具の少なくとも一方の灯具は、前記複数の外用配線の芯線の挿抜が自在であって挿入された前記芯線と電気的に接続する速結端子を備え、前記子灯具は、前記親用光源ユニットに流れる直流電流と逆向きの直流電流が前記子用光源ユニットに流れるのを防止する逆電流防止手段を有することを特徴とする。この構成によれば、高電位・低電位側で間違えた外用配線で子機を接続しても、子用光源ユニットに逆電流が流れるのを防止できる。
【００１５】
また、前記子用光源ユニットは光源としてＬＥＤを有し、前記逆電流防止手段は、前記子用光源ユニットのＬＥＤの順電流の方向を順方向とするダイオードであり、前記ダイオードの配置位置は、前記子用光源ユニットのＬＥＤの順方向と同じ方向の直流電流を受電した場合に前記子用光源ユニットの下流側であることを特徴とする。この構成によれば、簡易な構造で子用光源ユニットを保護することができる。
【００１６】
また、前記少なくとも一方の灯具は前記子灯具であり、前記子灯具は、前記速結端子と前記子用光源ユニットとを電気的に接続する内用配線を有し、前記内用配線における前記子用光源ユニット側の端部に灯具側コネクタを有し、前記子用光源ユニットは、前記灯具側コネクタに着脱自在に装着されるユニット側コネクタを有し、前記ダイオードは、前記速結端子と前記灯具側コネクタとを結ぶ導電路に設けられていることを特徴とする。この構成によれば、簡易な構造で子用光源ユニットを保護することができる。
【００１７】
また、前記子灯具は、表側が開口する筒状をし且つ中心軸方向の中間に前記中心軸に直交する仕切り壁を有する筐体を備え、前記仕切り壁は、装着状態の前記灯具側コネクタと前記ユニット側コネクタとの通過を許容する開口を有し、前記筐体は、前記仕切り壁の裏側の空間を、前記逆電流防止手段を収容する防止手段収容室と、前記装着状態の両コネクタを収容するコネクタ収容室とに区画する区画部を有することを特徴とする。この構成によれば、例えば、灯具側コネクタとユニット側コネクタとを仕切り壁の表側で接続した後に、これらコネクタを仕切り壁の開口から裏側へと挿入する際に、装着状態のコネクタが逆電流防止手段と接触するのを防止できる。
【００１８】
また、前記ダイオードと前記灯具側コネクタとを接続する内用配線が、前記区画部に固定されていることを特徴とする。この構成によれば、灯具側のコネクタを仕切り壁の開口から表側へと引き出される際に、灯具側コネクタと逆電流防止手段との電気的接続が断線するようなことを防止できる。
発明に係る一形態は、親用光源ユニットが装着される親灯具と、子用光源ユニットが装着される子灯具と、受電した商用電力を変換して直流電力を出力する電源ユニットとを備えるペア点灯型の照明灯具であって、前記親灯具と前記子灯具とは、前記電源ユニットに対して直列接続され、前記電源ユニットから直流電流を受電することを特徴とする。
【００１９】
＜第１の実施形態＞
以下、本発明の一例である第１の実施形態を図１から図１０を用いて説明する。
第１の実施形態では、親機および子機を備えるペア照明装置の一例であるポーチライトについて説明する。
なお、本明細書では、光源ユニットを有する親機と、光源ユニットを有する子機とを備えるものを照明装置とし、照明装置に光源ユニットを含まないものを照明灯具とする。換言すると、照明灯具に光源ユニットが装着されたものが照明装置である。また、親灯具に親用光源ユニットが装着されたものを親機とし、子灯具に子用光源ユニットが装着されたものを子機とする。
１．全体構成
図１はポーチライトの使用を示す斜視図であり、図２はポーチライトの使用状態を説明する説明図である。
【００２０】
ポーチライト１は例えば、家の外側であって玄関ドア３の周辺（この周辺を、以下「外玄関周辺」という。）に設けられる。ここでは、ポーチライト１は、ダウンライトタイプであり、玄関ドア３の上方を水平方向に張り出す天井壁５にポーチライト１が設けられている。
具体的には、ポーチライト１は、親機７及び子機９を備え、親機７及び子機９が天井壁５に取り付けられている。親機７及び子機９は、外玄関周辺の全体を照射できるように、間隔をおいて設けられている。
【００２１】
ポーチライト１は、種々の点灯モードで親機７及び子機９を点灯させる。ポーチライト１は、例えば、照度検知センサを備え、夜になり暗くなると親機７及び子機９が第１モードで点灯（調光点灯）する。図２の（ａ）では、親機７及び子機９から出射された光の図示は省略しているが、親機７及び子機９が調光点灯している。
また、ポーチライト１は、例えば、人感知センサを備え、図２の（ｂ）に示すように外玄関周辺に人１１を感知すると、図２の（ｃ）に示すように親機７及び子機９が第２モードで点灯する。
【００２２】
ここでは、第１モードでの点灯時の輝度は第２モードでの点灯時の輝度よりも低い。なお、第２モードの点灯を「全点灯」とすると、第１モードの点灯は「調光点灯」と言える。
図３は天井壁に装着されたポーチライトを天井壁よりも上方側から見た斜視図である。図４は天井壁に装着されたポーチライトを天井壁よりも上方側から見た平面図である。図５は天井壁に装着されたポーチライトを天井壁よりも下方側から見た底面図である。
【００２３】
親機７は、図３〜図５に示すように、親灯具１３、電源ユニット１５及び光源ユニット２１を備え、光源ユニット２１が親灯具１３に装着されている。子機９は子灯具１９と光源ユニット２１とを備える。ここでは、親用光源ユニットと子用光源ユニットとは、同じ構成であり、以下、単に光源ユニットとする。
親灯具１３と電源ユニット１５とは配線ケーブル２３を介して電気的に接続されている。また、親灯具１３（親機７）と子灯具１９とは配線ケーブル２５を介して電気的に接続されている。なお、配線ケーブル２３，２５は、灯具の外側に配されており、外用配線とも言える。
【００２４】
なお、配線ケーブルは複数の配線を被覆チューブ等で被覆したものをいい、配線は芯線
が絶縁被膜により被覆されたものをいう。
２．各部構成
（１）親機
（１−１）親灯具
図６は、親灯具の断面図である。
【００２５】
親灯具１３は、筐体２７、センサユニット２９及び接続ユニット３１を備える。センサユニット２９及び接続ユニット３１は筐体２７に装着されている。
（Ａ）筐体
筐体２７は全体として箱状をしている。ここで、光源ユニット２１からの光が取り出される側を表側とし、親灯具１３が装着される装着面５ａ（ここでは天井壁５の下面である。）に直交する方向であって表側と反対側を裏側とする。なお、装着面５ａと直交する方向は、筐体２７の厚み方向でもある。
【００２６】
筐体２７は、表側の一部及び裏側の略全体が開口する箱本体３５と、箱本体３５の裏側の開口を塞ぐ蓋体３７とを有する。箱本体３５は、図３や図４に示すように、第１筒部３９と第２筒部４１と鍔部４２とを有する。
ここでは、平面視（装着面５ａと直交する方向であって、裏側から見たときであり、図４である。）において、例えば、第１筒部３９は円形状をし、第２筒部４１は四角形状をしている。
【００２７】
第１筒部３９は、図６に示すように、筐体２７の厚み方向の両端が開口し、厚み方向の略中央に仕切り壁４３を有している。仕切り壁４３の表側には光源ユニット２１が着脱自在に所定の装着構造により装着される。
第１筒部３９における仕切り壁４３よりも表側に位置する周壁３９ａは、例えば、光源ユニット２１からの光を表側の開口３９ｂから出射するように反射機能を有している。なお、周壁３９ａは反射機能を有しなくても良い。
【００２８】
第２筒部４１は、図５及び図６に示すように、表側に表壁４５を有し、裏側が開口する。表壁４５はその中央部分に開口４５ａを有する。この開口４５ａはここでは円形状をしている。
開口４５ａには、センサ保持体４７により保持されたセンサユニット２９が配されている。センサ保持体４７は、第２筒部４１の表壁４５の裏側に所定の装着構造により装着（固定）される。所定の装着構造は例えばねじ構造である。なお、センサ保持体４７については、センサユニット２９の説明の際に行う。
【００２９】
第１筒部３９と第２筒部４１とは、図６に示すように、第１筒部３９の周壁に対して、第１筒部３９と重なる部分の側壁を有しない第２筒部４１が当接するような状態で、一体に形成されている。
第１筒部３９の周壁であって第２筒部４１との重なり部分における蓋体３７に近い部分が切り欠かれている（切り欠き部分を「３９ｃ」で示す。）。これにより、筐体２７内において第１筒部３９と第２筒部４１とが連通する空間を有することとなる。この空間は、筐体２７内において、光源ユニット２１やセンサユニット２９等の電気的接続を行うための配線収容領域３５ａとして機能する。
【００３０】
第１筒部３９の仕切り壁４３の裏側は、光源ユニット２１からのユニット側コネクタ４９と、親灯具１３内にある電源ユニット１５側の灯具側コネクタ５１とを接続するための接続領域５３として機能する。ここでは、ユニット側コネクタ４９がオスコネクタであり、灯具側コネクタ５１がメスコネクタである。灯具側コネクタ５１が所定の装着構造により仕切り壁４３に装着されている。なお、所定の装着構造は例えばねじ部材を用いた螺合構造である。
【００３１】
蓋体３７は図４に示すように箱本体３５の裏側開口を塞ぐ機能を有する。本実施形態では、蓋体３７は接続ユニット３１を装着する装着機能を有する。蓋体３７は、例えば、「Ｌ」字状をした板部材から構成される。蓋体３７は、主板部５９と副板部６１とからなり、所定の装着構造により箱本体３５に装着される。なお、所定の装着構造は例えばねじ部材を用いた螺合構造である。
【００３２】
主板部５９は、図６に示すように、箱本体３５の裏側に位置し、蓋機能を果たす。なお、主板部５９の平面視形状は箱本体３５の平面視形状と略一致している。副板部６１は、図６に示すように、箱本体３５の第２筒部４１側の側部に位置し、外面に接続ユニット３１が所定の装着構造で装着される。所定の装着構造は例えばねじ部材を用いた螺合構造である。
（Ｂ）センサ関連
センサユニット２９は、ここでは、人を感知する人感知センサ６５と、照度（明るさ）を検知する照度検知センサ６７とを備える。
【００３３】
センサユニット２９は、人感知センサ６５、照度検知センサ６７の他、センサ基板６９及び保護部材７１をセンサケース７３に備える。人感知センサ６５及び照度検知センサ６７は、センサケース７３の開口を利用して、人及び照度を検知する。
ここでは、人感知センサ６５として赤外線によって温度変化を検知するタイプ（パッシブセンサ）が利用されている。照度検知センサ６７として受光素子（例えば、フォトダイオード）が利用されている。これらセンサ６５，６７は、センサ基板６９に実装されている。
【００３４】
センサケース７３は、ここでは、全体形状が球状をし、人感知センサ６５の位置に対応する部分（表側）に開口を有する。この開口には、センサ６５，６７を保護する保護部材７１が設けられている。具体的には、センサケース７３の開口を塞ぎ、当該開口から水分・埃・異物等が侵入するのを防止する。なお、保護部材７１は人から発せられた赤外線を人感知センサ６５に集光させるレンズ機能も有している。
【００３５】
センサケース７３は、ここでは、球を装着面５ａと略平行に切断した半球状をした２つの半球体７３ａ，７３ｂから構成され、内部に配されるセンサ基板６９や保護部材７１を挟持する。ここでは、センサケース７３の開口は表側に位置する半球体７３ａに設けられている。
センサケース７３（センサユニット２９）は姿勢調整可能にケース収容体７５内に収容されている。ケース収容体７５は、図６に示すように、半球体７３ａ，７３ｂよりも大きく、半球体７３ａ，７３ｂから構成される球体の一部を切り欠いたような形状（半球体７３ａ，７３ｂよりも球体に近い形状である。）をしている。
【００３６】
ケース収容体７５は半球状の本体７５ａと残りの残余体７５ｂとの２つから構成されている。ケース収容体７５の内周は、曲率半径がセンサケース７３の曲率半径よりも大きい曲面（正確には球面の一部である。）をしている。これにより、センサユニット２９が、ケース収容体７５に対して姿勢調整自在に収容される。なお、センサユニット２９の姿勢の保持は、ケース収容体７５の内周面とセンサケース７３の外周面との摩擦力により行われる。
【００３７】
ケース収容体７５の筐体２７への装着は、所定の装着構造、ここではねじ部材を用いた螺合構造を利用している。つまり、ケース収容体７５の本体７５ａを貫通するねじ部材（図示省略）が第２筒部４１の底部における開口周辺部分のねじ穴に螺着することで行われる。
（Ｃ）接続ユニット３１
接続ユニット３１は接続端子７９とカバー部材８１とを備える。接続端子７９は、親灯具１３と子灯具１９とを配線ケーブル２５を介して電気的に接続するためのものである。カバー部材８１は、接続端子７９を被覆して保護する。配線ケーブル２５は、ここでは、２芯用のＶＶＦケーブルが利用されている。なお、ＶＶＦケーブルにも符号「２５」を指す場合がある。
【００３８】
親灯具１３と子機９との接続は、ポーチライト１が設置される場所において行われるため、接続端子７９には速結端子が利用される。なお、当該速結端子の符号にも、接続端子の符号「７９」を用いる。
速結端子７９は、ＶＶＦケーブル２５の配線の絶縁被膜を除去して剥き出しになった芯線が、端子台の挿入孔に挿入されると、バネ機構で芯線を固定して芯線との間で導通が確保される。速結端子７９は、カバー部材８１により覆われた状態で、蓋体３７の副板部６１に所定の装着構造、例えばねじ部材を用いた螺合構造により装着されている。
（Ｄ）その他
親灯具１３は、筐体２７を天井壁５の開口５ｂに挿入した際に、筐体２７を開口５ｂに対して固定させるための装着構造が設けられている。ここでは、装着構造として、複数（例えば３個である。）の板ばね８３が利用されている。
（１−２）光源ユニット
光源ユニット２１は、図６に示すように、親灯具１３に対して着脱自在に装着されている。
【００３９】
光源ユニット２１は光源の一種類である半導体発光素子（図示省略）を１又は複数備える。ここでは、半導体発光素子として、ＬＥＤが利用され、複数のＬＥＤが実装基板８７に実装されている。なお、実装基板８７に複数のＬＥＤが実装されたものをＬＥＤモジュール８９とする。
光源ユニット２１は、ＬＥＤモジュール８９が搭載される基台９１と、ＬＥＤモジュール８９を基台９１に装着（固定）するためのモジュール装着（固定）手段９３と、ＬＥＤモジュール８９を被覆・保護するカバー９５と、カバー９５を基台９１に装着（固定）するカバー装着手段９７とを備える。
【００４０】
ここでは、ＬＥＤモジュール８９は所定形状（例えば円形状である。）をしている。ＬＥＤモジュール８９は実装基板８７の中央部分に複数のＬＥＤ及び封止体９９を備える。
複数のＬＥＤは実装基板８７の配線パターンに電気的に接続される。封止体９９は実装基板８７に実装されている複数のＬＥＤを封止する。封止体９９には、例えば、透光性の樹脂材料が利用され、ＬＥＤからの光を所定の波長に変換する必要がある場合は、例えば、蛍光体等の波長変換部材が混入される。
【００４１】
基台９１は盤状（例えば、ＬＥＤモジュール８９に対応した円盤状をしている。）をしている。基台９１の表面はＬＥＤモジュール８９と接触し、裏面は筐体２７と接触する。つまり、ＬＥＤモジュール８９から筐体２７までが熱的に接合している。
モジュール装着手段９３は、ここでは、係合（掛合）構造を利用して行われる。具体的には、ＬＥＤモジュール８９と係合する係合部材１０１と、係合部材１０１を基台９１に装着（固定）する固定手段１０３とからなる。
【００４２】
係合部材１０１は、図６に示すように、リング状をし、その内周部分がＬＥＤモジュール８９の実装基板８７の周縁部分に係合（当接）する。固定手段１０３は、ここでは、係合部材１０１を貫通するねじ部材１０５と、基台９１の表面に設けられているねじ穴１０７とから構成される。
カバー９５は透光性材料（例えば、樹脂材料である。）により構成されている。カバー９５は、図６に示すように、有底筒状をし、表側の端（図６では下端になる。）に底部を、裏側の端に外方へと延出する鍔部１０９をそれぞれ有する。
【００４３】
カバー装着手段９７は、ここでは、係合（掛合）構造を利用して行われる。具体的には、カバー装着手段９７は、カバー９５の鍔部１０９の表面と係合する係合部材１１１と、係合部材１１１を基台９１に押圧する押圧手段１１３とからなる。
係合部材１１１は、図５及び図６に示すように、リング状をし、その内周部分がカバー９５の鍔部１０９に当接する。
【００４４】
押圧手段１１３は、ここでは、係合部材１１１を基台９１に装着するとともに、光源ユニット２１を親灯具１３に装着する機能も兼用する。押圧手段１１３は、係合部材１１１と基台９１とを貫通するねじ部材１１５と、筐体２７の第１筒部３９の仕切り壁４３側に設けられているねじ穴（図示省略）とから構成される。
光源ユニット２１は、ＬＥＤモジュール８９に電気的に接続する配線ケーブル１１７と、配線ケーブル１１７におけるＬＥＤモジュール８９と反対側端部に設けられたユニット側コネクタ４９を有する。ユニット側コネクタ４９及び配線ケーブル１１７は親灯具１３の仕切り壁４３の開口４３ａを介して裏側へと導出される。
（１−３）電源ユニット
（Ａ）概略
電源ユニット１５は商用電力を変換して親灯具１３及び子灯具１９に電力を供給する。ここでは、親灯具１３及び子灯具１９に対して直流電力（直流電流）が供給される。本実施形態では、点灯モードが２種類あるため、ここでは、電流値の異なる２種類の直流電流が供給される。
【００４５】
具体的には、点灯モードが第１モードである調光点灯のときに供給される第１の電流値（一定）の直流電流であり、点灯モードが第２モードである全点灯のときに供給される第２の電流値（一定値）の直流電流である。
なお、第１の電流値は第２の電流値よりも小さい。例えば、第１の電流値は、第２の電流値に対して、２０［％］〜４０［％］である。なお、第１モード時の電力を第１の電力、第２モード時の電力を第２の電力とそれぞれする。
（Ｂ）構成
電源ユニット１５は、商用電力を第１の電力又は第２の電力に変換する電力変換回路部１４９と、変換した電力の親灯具１３及び子灯具１９への給電を制御する制御回路部１５０とを備える。なお、電力変換回路部１４９と制御回路部１５０は、独立なユニットとして設けても良い。
【００４６】
図７は、電源ユニットの断面図である。
電力変換回路部１４９は電源基板１２１に実装された複数の電子部品（例えば、トランス１２３等である。）により構成され、制御回路部１５０は、電源基板１２１に実装された電子部品（ＩＣ等である。）１２５により構成される。
なお、電力変換回路部用の電子部品１２３及び制御回路部用の電子部品１２５を含めて、複数の電子部品１２３，１２５ともいう。なお電力変換回路部１４９の電子部品の符号は便宜上「１２３」の１つだけを用いているが、実際には複数ある。
【００４７】
複数の電子部品１２３，１２５は電源基板１２１に実装された状態で、筐体１２７内に格納される。
筐体１２７は、電源基板１２１を装着する本体部１２９と、電子部品１２３，１２５を覆うカバー部１３１とを備える。
本体部１２９は図７に示すように皿状をしている。カバー部１３１は、図３、図４及び図７に示すように、箱状をしている。ここでは、本体部１２９は平面視において矩形状をしているため、カバー部１３１も平面視において矩形状をしている。
【００４８】
本体部１２９とカバー部１３１とは所定の結合構造により結合されている。所定の結合構造は例えばねじ部材１３３を利用した螺合構造である。
カバー部１３１は、複数の電子部品１２３，１２５が実装された状態の電源基板１２１を収容するための容器を本体部１２９とで構成する容器部分１３５と、筐体１２７を天井壁５等に装着するための脚部分１３７とを有する。
【００４９】
脚部分１３７は、図３及び図７に示すように、容器部分１３５において対向する２つの側面から天井壁５に向かって延伸した後、天井壁５に沿うように、ここでは外側に向かって屈曲している。
筐体１２７には、商用電源と接続する配線ケーブル２２が接続される接続ユニット１３９が装着されている。装着箇所は、特に限定しないが、ユニットしての高さを考慮すると、筐体１２７の側面が好ましい。
【００５０】
配線ケーブル２２としてはＶＶＦケーブルが利用される。接続ユニット１３９は接続端子１４１とカバー部材１４３とを備える。カバー部材１４３は、ここでは、接続端子１４１を覆う機能と、筐体１２７側への装着機能とを有する。
接続端子１４１は親灯具１３側の接続端子７９と同じ構成である。つまり、接続端子１４１は速結端子である。なお、接続端子１４１における配線ケーブル２２と反対側は、内用配線１４７を介して電力変換回路部１４９に接続されている。
（１−４）回路構成
図８は、照明装置の回路図である。
【００５１】
電源ユニット１５は電力変換回路部１４９と制御回路部１５０とを備える。
電力変換回路部１４９は、商用電源側から、入力フィルター部１５１、整流回路１５２、昇圧回路１５３、降圧回路１５４を有する。
入力フィルター部１５１は商用電源側からのノイズ侵入を防止するためのものである。入力フィルター部１５１として、例えば、インダクタ等を利用することができる。
【００５２】
整流回路１５２は商用電源からの交流を直流に整流する。整流回路１５２は例えば４つのダイオードからなるダイオードブリッジにより構成される。
昇圧回路１５３は整流回路１５２で整流された直流電力を所定の電圧へと昇圧する。昇圧回路１５３は、ここでは、所謂、昇圧チョッパ回路が利用されている。昇圧チョッパ回路は、トランスＴ１（ここでは、ＩＣ部１５５の電源を確保するためにトランスが利用されている。）、スイッチング素子Ｑ１、コンデンサＣ１を備える。昇圧チョッパ回路は、降圧チョッパ回路に対して、トランスＴ１が直列に接続され、スイッチング素子Ｑ１とコンデンサＣ１とがそれぞれ並列に接続されてなる。
【００５３】
スイッチング素子Ｑ１は、ここでは、Ｎチャンネル型のＦＥＴが利用され、ＩＣ部１５５からの出力信号によりＯＮ・ＯＦＦを繰り返す。コンデンサＣ１は、スイッチン素子Ｑ１がＯＮの期間だけ降圧回路１５４側に放電する。なお、コンデンサＣ１としては、電解コンデンサ等が利用される。ＩＣ部１５５は、所定の周期でスイッチング素子Ｑ１にＯＮ・ＯＦＦ信号を出力する。ＯＮ・ＯＦＦのデューティ比は昇圧させたい電圧に合わせて予め設定されている。
【００５４】
降圧回路１５４は、昇圧回路１５３で昇圧された電圧を、点灯モードに合わせて第１の電圧値と第２の電圧値とのどちらか一方に降圧する。降圧回路１５４は、ここでは、所謂、降圧チョッパ回路が利用されている。降圧チョッパ回路は、トランスＴ２、スイッチング素子Ｑ２及びコンデンサＣ４を備える。降圧チョッパ回路は、直列接続されている親灯具１３及び子機９に対して、トランスＴ１とスイッチング素子Ｑ２とが直列に接続され、コンデンサＣ４が並列に接続されてなる。
【００５５】
スイッチング素子Ｑ２は、ここでも、Ｎチャンネル型のＦＥＴが利用され、制御回路部１５０からの出力信号によりＯＮ・ＯＦＦを繰り返す。なお、ＯＮ・ＯＦＦのデューティ比は、第１の電圧値、第２の電圧値に合わせて、あらかじめ設定されている。
制御回路部１５０はスイッチング素子Ｑ２に対してＯＮ・ＯＦＦ信号を出力している。スイッチング素子Ｑ２がＯＦＦのとき降圧回路１５４は降圧しないため、制御回路部１５０は実質的に電力変換回路部１４９の降圧回路１５４の稼働や親灯具１３及び子灯具１９への給電を制御している。ここでは、降圧回路１５４が稼働している間は親灯具１３及び子機９が点灯する。
【００５６】
制御回路部１５０は、人感知センサ６５からの信号により降圧回路１５４を稼働して親灯具１３及び子機９を第２モード（全点灯）で点灯させる。制御回路部１５０は、照度検知センサ６７からの信号により降圧回路１５４を稼働して親灯具１３及び子機９を第１モード（調光点灯）で点灯させる。第１モード及び第２モードの切り替えは、降圧回路１５４のスイッチング素子Ｑ２のＯＮ・ＯＦＦのデューティ比を変えた信号を制御回路部１５０から出力することで行われる。
（１−５）制御回路部
図９は、制御回路部のフローチャートである。
【００５７】
制御回路部１５０は、照明装置１のスイッチ（図示省略）がＯＮされると、スタートする。
制御回路部１５０は、まず、点灯を指示する点灯信号を受信したか否かを判定する（ステップＳ１である。）。ここでの点灯信号は、照度検知センサ６７からの信号であり、外玄関周辺の照度を示す信号である。具体的には、照度検知センサ６７からは、照度に対応した電圧が出力され、点灯するか否かの判定基準となる閾値電圧以下（暗くなった場合である。）の電圧が点灯信号となる。例えば、外玄関周辺が暗くなると照度検知センサ６７から閾値電圧以下の電圧（点灯信号である。）が出力され、外玄関周辺が明るくなると照度検知センサ６７から閾値電圧より大きい電圧（非点灯信号である。）が出力される。
【００５８】
照度検知センサ６７からの信号が点灯信号でない場合（ステップＳ１で「ＮＯ」である。）、点灯信号があるまで信号の有無を判断する。照度検知センサ６７からの信号が点灯信号になると（ステップＳ１で「ＹＥＳ」である。）、親灯具１３及び子機９が調光点灯をしているか否かを示す「ＤＩＭ」を「１」とする（ステップＳ２である。）。ここでは、「ＤＩＭ＝１」の場合は調光点灯をしている場合であり、「ＤＩＭ＝０」の場合は調光点灯をしていない場合である。
【００５９】
次に、「ＤＩＭ」が「１」であるか否かを判定する（ステップＳ３）。「ＤＩＭ」が「１」の場合（ステップＳ３で「ＹＥＳ」である。）、調光点灯を行って（ステップＳ４）ステップＳ５に進む。このとき、制御回路部１５０は、スイッチング素子Ｑ２に対し、調光点灯用のデューティ比の信号を出力する。
「ＤＩＭ」が「１」でない場合、つまり、「ＤＩＭ」が「０」の場合は、調光点灯する必要がなく（外玄関の周辺は暗く、本来は調光点灯すべきであるが、午前０時以降は消灯しているような場合である。）、ステップＳ５に進む。
【００６０】
ステップＳ５では、人を外玄関周辺で感知した旨の信号を受信したか否かを判定する。ここでの人感知信号は人感知センサ６５からの信号である。具体的には、人感知センサ６５は、人を感知すると「Ｈｉｇｈ」の信号を、感知しないときは「Ｌｏｗ」の信号をそれぞれ出力する。
人感知センサ６５からの信号が「Ｈｉｇｈ」信号である場合（ステップＳ５で「ＹＥＳ」である。）、全点灯を開始して（ステップＳ６である。）ステップＳ７へと進む。このとき、制御回路部１５０は、スイッチング素子Ｑ２に対し、全点灯用のデューティ比の信号を出力する。
【００６１】
一方、ステップＳ５で、人感知センサ６５からの信号が「Ｌｏｗ」信号である場合（ステップＳ５で「ＮＯ」である。）、ステップＳ１２へと進む。
ステップＳ７では、外玄関周辺にまだ人がいるか否かを判定している。具体的には、人感知センサ６５からの信号が「Ｈｉｇｈ」信号であるか否かを判定している。そして、人がいなくなり、人感知センサ６５の信号が「Ｌｏｗ」信号になる（ステップＳ７で「ＮＯ」である。）とステップＳ８に進んで、タイマーをスタートさせる（ステップＳ８）。
【００６２】
タイマーをスタートとして例えば３分が経過する（ステップＳ９で「ＹＥＳ」である。）と、「ＤＩＭ」が「１」であるかどうかを判定する。これは、人を感知したのが、調光点灯中であるのか、消灯中である（例えば、午前０時以降の場合）かにより、人がいなくなった後の点灯モードが異なるからである。
ステップＳ１０で、「ＤＩＭ」が「１」であると判定される（「ＹＥＳ」である。）と、人が感知される前は調光点灯されていたため、全点灯から調光点灯へと切り換える（ステップＳ１１である。）。このとき、制御回路部１５０はスイッチング素子Ｑ２に対し全点灯用から調光点灯用のデューティ比へと変更して信号を出力する。
【００６３】
一方、ステップＳ１０で、「ＤＩＭ」が「１」でないと判定される（「ＮＯ」である。）と、人が感知される前は消灯状態であったため、ステップＳ１４へ進んで消灯する。このとき、制御回路部１５０はスイッチング素子Ｑ２に対しＯＦＦ信号を出力する。
ステップＳ１１で点灯モードが調光点灯へ切り替わると、現時点の時刻が午前０時以降であるか否かを判定する（ステップＳ１２である。）。０時以降と判定されると（「ＹＥＳ」である。）、調光点灯する必要がなく、「ＤＩＭ」を「０」とし（ステップＳ１３である。）、消灯する（ステップＳ１４である。）。
【００６４】
そして、照明装置１のスイッチがＯＦＦされる（ステップＳ１５の「ＹＥＳ」である。）と処理を終了し、ＯＦＦされていなければ（ステップＳ１５の「ＮＯ」である。）、ステップＳ１６へ進む。
ステップＳ１６では、点灯信号を受信したか否かを判定する。照度検知センサ６７からの信号が点灯信号である場合（「ＹＥＳ」である。）、外玄関周辺がまだ暗い場合であり、ステップＳ３へと進む。
【００６５】
一方、ステップＳ１６で、照度検知センサ６７からの信号が点灯信号でない場合（「ＮＯ」である。）、外玄関周辺が明るくなり、人を感知している場合でも全点灯する必要がない状態であり、「ＤＩＭ」を「０」にして（ステップＳ１７）、ステップＳ１に戻る。
（２）子機
図１０は、子機の断面である。
【００６６】
子機９は、子灯具１９と光源ユニット２１とを備える。子灯具１９は、筐体１５７及び接続ユニット１５９を備える。光源ユニット２１は子灯具１９（筐体１５７）に着脱自在に装着される。
なお、光源ユニット２１は、親機７で説明した光源ユニット２１と同じ構成であるため、その構成の説明は省略する。また、接続ユニット１５９は、親機７で説明した接続ユニット３１と同じ構成であるため、その構成の説明は省略する。
【００６７】
筐体１５７は全体として箱状をしている。ここでも、親機７と同様に、光源ユニット２１からの光が取り出される側を表側といい、子機９が装着される装着面５ａ（ここでも天井壁５の下面である。）に直交する方向であって表側と反対側を裏側という。なお、装着面５ａと直交する方向は筐体１５７の厚み方向ともいう。
筐体１５７は、表側及び裏側が開口する箱本体１６１と、箱本体１６１の裏側の開口を塞ぐ蓋体１６３とを有する。箱本体１６１は、図３や図４に示すように、筒部１６５と鍔部１６７とを有する。ここでは、平面視（装着面と直交する方向であって、裏側から見たときであり、例えば図４の状態である。）において、例えば、筒部１６５は円形状をしている。
【００６８】
筒部１６５は、図１０に示すように、厚み方向（筒部の中心軸方向でもある。）の略中央に仕切り壁１６９を有している。なお、仕切り壁１６９の表側には光源ユニット２１が装着される。筒部１６５における仕切り壁１６９よりも表側に位置する周壁１６５ａは、例えば、光源ユニット２１からの光を表側の開口１６５ｂから出射するように反射機能を有している。
【００６９】
子灯具１９は親機７から受電して光源ユニット２１を点灯させる。つまり、子灯具１９は電源ユニット１５から親灯具１３を介して直接受電する。具体的には、子灯具１９は、親灯具１３側に接続された配線ケーブル２５と接続ユニット１５９の接続端子（速結端子）１６０で接続され、接続ユニット１５９と光源ユニット２１とが内用配線１７２により接続される。
【００７０】
内用配線１７２には、光源ユニット２１のユニットコネクタ１７１と着脱自在に装着される灯具側コネクタ１７３が設けられている。なお、装着されたコネクタ１７１，１７３は筒部１６５における仕切り壁１６９の裏側の空間に収容される。
具体的には、筒部１６５の仕切り壁１６９の裏側は、ユニット側コネクタ１７１と接続する親灯具１３側と接続する灯具側コネクタ１７３を装着するソケット装着領域１７５となっている。
【００７１】
ここでは、ユニット側コネクタ１７１がオスコネクタであり、灯具側コネクタ１７３がメスコネクタである。灯具側コネクタ１７３が所定の装着構造により仕切り壁１６９に装着されている。所定の装着構造は、親灯具１３と同様に、例えばねじ部材を用いた螺合構造である。
蓋体１６３は、図１０に示すように、箱本体１６１の裏側開口を塞ぐ機能を有する。蓋体１６３は、接続ユニット１５９を装着する装着機能を有する。蓋体１６３は「Ｌ」字状をした板部材から構成される。蓋体１６３は、主板部１７７と副板部１７９とからなり、所定の接合構造により箱本体１６１に装着される。なお、所定の接合構造は、ねじ部材を用いた螺合構造である。
【００７２】
主板部１７７は、図１０に示すように、箱本体１６１の裏側に位置し、蓋機能を果たす。なお、主板部１７７は、箱本体１６１の平面視形状と略一致している。副板部１７９は、図１０に示すように、接続ユニット１５９の装着機能を果たす。
子機９は、子灯具１９を天井壁５の開口５ｂに挿入した際に、筐体１５７を開口に対して固定させるための装着機構が設けられている。ここでは、装着機構は、親灯具１３と同様に、複数の板ばね１８１を利用している。
３．使用方法
子機９は、親機７に対して配線ケーブル２５を介して接続される。この配線ケーブル２５にＶＶＦケーブルが利用され、親機７の接続ユニッ３７の接続端子７９及び子機９の接続ユニット１５９の接続端子に速結端子が利用されている。このため、照明装置１の設置場所において、ＶＶＦケーブルの長さを親灯具１３と子灯具１９との間隔に合わせれば良く、ＶＶＦケーブルを効率よく、無駄なく利用できる。
【００７３】
また子機９は、親機７と電気的に接続され、親機７の電源ユニット１５から直接受電する。このため、子機９は、商用電力を光源ユニット２１に供給する電力に変換するための変換回路を備える必要がなく、子灯具の構造を簡単にできる共に、安価に提供することができる。
さらに、光源ユニット２１は、親機７及び子機９に関係なく装着自在な構成をしているため、部品の共通化を図ることができ、親機７及び子機９とで装着できる光源ユニットの仕様が異なる場合に比べて、安価な光源ユニットを提供することができる。
＜第２の実施形態＞
第１の実施形態では、親灯具１３と子灯具１９との電気的接続に、配線ケーブル（ＶＶＦケーブル）２５と速結端子７９を利用し、速結端子７９が親灯具１３の筐体２７に装着されていた。
【００７４】
しかしながら、速結端子を親灯具及び子灯具と独立した接続ユニットとして設けても良い。第２の実施形態では速結端子を備える接続ユニットを独立して設けたポーチライト（照明装置）について説明する。
図１１は、第２の実施形態に係る天井壁に装着されたポーチライトを天井壁よりも上方側から見た斜視図である。図１２は、第２の実施形態に係る親機と接続ユニットの断面図である。
【００７５】
第２の実施形態に係るポーチライト３０１は、図１１に示すように、親灯具３０５、子機９を備える。親灯具３０５は、電源ユニット１５、親灯具３０５、接続ユニット３０７を備える。
第２の実施形態に係るポーチライト３０１を構成する電源ユニット１５及び子機９は、第１の実施形態で説明した電源ユニット１５と子機９と同じ構成である。このため、ここでは、第１の実施形態における電源ユニット及び子機と同じ符号を用いい、その構成の説明は省略する。以下、主に、親灯具３０５及び接続ユニット３０７について説明する。
（１）親機
親灯具３０５は、第１の実施形態における親灯具１３と共通部分が多く、親灯具１３の構成と同じものは、同じ符号を用い、その構成の説明は省略する。
【００７６】
親灯具３０５は、図１１及び図１２に示すように、筐体３０９、光源ユニット２１及びセンサユニット２９を備える。なお、光源ユニット２１及びセンサユニット２９は図１２に第１の実施形態に係る光源ユニット２１及びセンサユニット２９と同じ構成である。
筐体３０９は箱本体３１１と、箱本体３１１の開口を塞ぐ蓋体３１３とを備える。筐体３０９は、第１の実施形態に係る筐体２７と略同じ構成であるが、蓋体３１３に接続ユニット３０７が装着されていない点、箱本体３１１に配線（配線ケーブル）用の貫通孔が設けられていない点で、第１の実施形態と異なる。
【００７７】
箱本体３１１は、第１の実施形態における箱本体３５と貫通孔の有無が異なるだけであるため、その説明を省略する。
蓋体３１３は、図１１及び図１２に示すように、板部材から構成されている。蓋体３１３の平面視形状は箱本体３１１の平面視形状と同じである。蓋体３１３は子機９と電気的に接続するための配線ケーブル３１５を導出させるための導出孔３１７を有する。なお、導出孔３１７には当該導出孔３１７から筐体３０９内へと埃等が侵入するのを防止するパッキン３１９が設けられている。
（２）接続ユニット
接続ユニット３０７は、親灯具３０５の導出孔３１７から導出された配線ケーブル３１５と、図１１に示すように、子機９の接続ユニット１５９に接続された配線ケーブル（ＶＶＦケーブル）２５とを接続するターミナル機能を有する。
【００７８】
接続ユニット３０７は、図１２に示すように、配線ケーブル３１５と配線ケーブル２５とを着脱自在に接続する接続端子３２５を備える。接続端子３２５は、第１の実施形態の親灯具１３の接続端子７９と同じ構成であり、所謂、速結端子である。
接続ユニット３０７は、上記接続端子３２５の他、接続端子３２５を支持する基台３２７と、接続端子３２５を覆うカバー部材３２９を備える。接続端子３２５を覆う状態でカバー部材３２９が基台３２７に装着される。
【００７９】
なお、接続端子３２５のおける配線ケーブル（ＶＶＦケーブル）３１５の接続は第１の実施形態での配線の接続と同じある。
＜第３の実施形態＞
第３の実施形態では、子機の光源ユニットの下流側に、親機の光源ユニットに流れる電流と逆向きの電流が子機の光源ユニットに流れるのを防止する逆電流防止手段を設けている。なお、ここでの親機の光源ユニットに流れる電流と逆向きの電流の向きは、子機の光源ユニットのＬＥＤの逆方向と同じ向きである。
【００８０】
また、第３の実施形態では、子機の子灯具と光源ユニットとを電気的に接続するコネクタを子灯具に固定せずにフリーな状態としている。
以下、第３の実施形態に係る照明装置４０１について説明する。なお、第１の実施形態又は第２の実施形態で説明した構成と同じ構成は、同じ符号を用い、その説明を省略する。
【００８１】
図１３は第３の実施形態に係る照明装置の給電経路を示す概略図である。図１４は第３の実施形態に係る子機の断面図であり、図１５は子機の箱本体の内容の様子を示す要部斜視図である。
第３の実施形態に係る照明装置４０１は、第１の実施形態と同様に、図１３に示すように、親機７と子機４０３を備える。親機７は、第１の実施形態と同じ構成であり、親灯具１３、電源ユニット１５及び光源ユニット２１を備える。
【００８２】
子機４０３は、子灯具４０５と光源ユニット２１とを備える。子機４０３は、親機７に配線ケーブル２５（外用配線である。）により電気的に接続され、光源ユニット２１は、親機７の電源ユニット１５から受電する。子灯具４０５は、図１４に示すように、筐体４０７、接続ユニット４０９、配線ユニット４１１を備える。
筐体４０７は、第１の実施形態と同じように、箱本体４１３と、蓋体１６３とを備える。箱本体４１３は、筒部１６５、鍔部１６７を備える他、収容室４１５，４１９を有する。筒部１６５及び鍔部１６７は、第１の実施形態と同様の構成をしている。
【００８３】
筒部１６５の仕切り壁１６９の裏側は、大小の２つの空間（４１５，４１９）に区画されている。小さい方の空間が防止手段収容室４１５である。この収容室４１５に逆電流防止手段４３１が収容されている。大きい方の空間がコネクタ収容室４１９である。この収容室４１９にコネクタ１７１，４２９が収容されている。
２つの収容室４１５，４１９の区画は区画部により行われている。区画部は、筒部１６５の内壁から中心軸側に延出する２つの板部分４２３，４２５と、２つの板部分４２３，４２５が交差する部分で２つの板部分４２３，４２５を連結する連結部分４２７とを有する。つまり、収容室４１５，４１９は２つの板部分４２３，４２５と連結部分４２７とにより構成されている。
【００８４】
接続ユニット４０９は接続端子（速結端子）７９とカバー部材８１とを備える。接続ユニット４０９はＬ字状をした蓋体１６３に装着されている。なお、第３の実施形態での接続端子７９は２本の配線が筒部１６５の高さ方向と直交する方向に並ぶように、装着されている。このため、図１４では、１本の配線しか現れていない。
配線ユニット４１１は、接続端子７９と光源ユニット２１（のユニット側コネクタ１７１）とを電気的に接続するためのものである。配線ユニット４１１は、灯具側コネクタ４２９、逆電流防止手段４３１及び逆電流防止手段４３１を有する。
【００８５】
灯具側コネクタ４２９は、ユニット側コネクタ１７１と接続するためのものである。ここでも灯具側コネクタ４２９はメスコネクタが利用されている。
灯具側コネクタ４２９とユニット側コネクタ１７１とは、互いに接続された状態で筐体４０７のコネクタ収容室４１９に収容されている。コネクタ４２９，１７１は、筐体４０７内では固定されておらず、移動可能な状態で格納されている。そして、接続されたコネクタ４２９，１７１は、筒部１６５の仕切り壁１６９に存する開口１６９ａを介して表側（光源ユニット２１）に引き出されたり、開口１６９ａを介して裏側に押し込まれたりされる（出入自在である。）と。つまり、仕切り壁１６９は、装着状態のコネクタ４２９，１７１の通過を許容する開口１６９ａを有する。
【００８６】
配線ケーブル４３３は、接続ユニット４０９と灯具側コネクタ４２９とを接続するためのものである。配線ケーブル４３３は、一対の内用配線４３５，４３７からなる。配線ケーブル４３３のうち、低電位側の内用配線４３７には、接続端子７９と灯具側コネクタ４２９の間に逆電流防止手段４３１が接続されている。つまり、内用配線４３７は、接続端子７９と逆電流防止手段４３１とを接続する内用配線４３７ａと、逆電流防止手段４３１と灯具側コネクタ４２９とを接続する内用配線４３７ｂとからなる。
【００８７】
防止手段収容室４１５は、逆電流防止手段４３１と、当該逆電流防止手段４３１に接続された内用配線４３７ａ，４３７ｂとを収容する。このとき、逆電流防止手段４３１と内用配線４３７ａ，４３７ｂは、内用配線４３７ａ，４３７ｂが逆電流防止手段４３１から当該逆電流防止手段４３１と直交する方向に延伸するＵ字状をしている。
逆電流防止手段４３１としては、例えば、ダイオード４４１を利用することができる。ここでは、ダイオード４４１が絶縁性のチューブ４４３により被覆されている。なお、逆電流防止手段４３１は、他の電子部品、例えば、トランジスタと抵抗等により、構成することもできる。
【００８８】
逆電流防止手段４３１は、配線固定手段４４５により筐体４０７内に間接的に固定されている。具体的には、内用配線４３５と内用配線４３７ｂとが配線固定手段４４５により筐体４０７に固定されている。これにより逆電流防止手段４３１が固定される。
配線固定手段４４５は、内用配線４３５，４３７ｂを把持する把持部材４４７と、把持部材４４７を筐体４０７に固定する固定部材４４９とからなる。ここでは、把持部材４４７は、把持部４５３と固定部４５５とが一体になったものである。
【００８９】
具体的には、把持部４５３は結束バンドにより構成され（インシュロック（登録商標））、固定部４５５は貫通孔を有する。固定部材４４９は、固定部４５５の貫通孔を挿通するねじ部材４５７から構成され、このねじ部材４５７は筐体４０７側に形成されたねじ孔に螺着する。
ここでの把持部４５３は、挿通孔に対してバンドが一方向にのみ挿入でき、バンドを抜く方向である他方向には抜けないように構成された結束バンドであるが、例えば、バンド（ひもを含む）を手で結んで結束するようなものであっても良い。
【００９０】
あるいは、所定の間隔をおいた一対の把持部材間に配線（少なくとも逆電流防止手段が設けられている側の配線である。）を配置し、一対の把持部材の間隔をねじ部材等により狭くして配線を把持するようなものであっても良い。この場合、一対の把持部材のうち少なくとも一方をねじ部材等の固定手段により筐体に固定すれば実施できる。
また、例えば、区画部に貫通孔を設け、この貫通孔を挿通するバンド（ひもを含む）により配線を結束しても良い。この場合、固定部が把持部（バンド）により兼用される。
【００９１】
さらには、配線固定手段は、内用配線４３５，４３７ｂを筐体４０７内に固定できれば良く、例えば内用配線と接触する接触部材を、例えばねじ部材により筐体の内面に押圧するような押圧構造を利用しても良い。
あるいは、例えば、区画部に貫通孔を設け、防止手段収容室内で区画部の貫通孔よりも大きな結び目を有するように配線を結ぶことでも、逆電流防止手段の断線を防止できる。このような結び目の例においても、配線を固定する固定手段と機能する。つまり、局部的に大径となった配線と、当該大径部分の通過を許容せず且つ区画部に形成された貫通孔とにより配線固定手段が構成される。
【００９２】
本第３の実施形態では、接続（装着）状態にある両コネクタ４２９，１７１が仕切り壁１６９の開口１６９ａを介して仕切り壁１６９の表裏に挿抜自在であるため、光源ユニット２１を交換等する場合に、仕切り壁１６９に存する開口１６９ａからコネクタ４２９，１７１を光源ユニット２１側へと取り出して作業することが可能となる。
この際、内用配線４３７ｂは、逆電流防止手段４３１と灯具側コネクタ４２９との間で固定され、内用配線４３５も内用配線４３７ｂの固定に合わせて固定されている。このため、コネクタ４２９，１７１を開口１６９ａから表側へと引き出す際に過度な負荷がコネクタ４２９，１７１等に作用しても、逆電流防止手段４３１との接続が断線するようなことを未然に防止できる。
【００９３】
さらに、逆電流防止手段４３１が筐体４０７内の防止手段収容室４１５に収容されているため、光源ユニット２１の交換が完了してコネクタ４２９，１７１を筐体４０７内の仕切り壁１６９の裏側に戻す際にも、コネクタ４２９，１７１と逆電流防止手段４３１とが接触するようなことはない。
子灯具４０５は、光源ユニット２１の低電位側と接続する通電路上に逆電流防止手段４３１を備える。このため、例えば、親機７と子機４０３とを接続するＶＶＦ配線ケーブル２５の子機４０３側の接続を高電位と低電位とで間違えた場合でも、光源ユニット２１のＬＥＤに逆向きの電流が流れるのを防止できる。
＜変形例＞
以上、本発明の構成を、第１〜第３の実施形態に基づいて説明したが、本発明は上記実施形態に限られない。例えば、各実施形態で説明した構成および下記の変形例で説明する構成を適宜組み合わせてなる照明装置であっても良い。さらに、本発明の技術的思想の範囲を逸脱しない範囲で照明装置の構成に適宜変更を加えることは可能である。
１．光源ユニット
（１）光源の種類
実施形態で説明した光源ユニット２１は、複数のＬＥＤを備えていた。つまり、光源として半導体発光素子を利用していたが、ＬＥＤ以外の半導体発光素子（例えば、レーザダイオードや有機発光素子）を用いても良い。
（２）親機及び子機
実施形態で説明した光源ユニット２１は、親灯具１３及び子機９にも装着できる。つまり、親灯具１３と子機９とで光源ユニット２１の共通化が図られている。しかしながら、親機の光源ユニットと子機の光源ユニットとは、同じ仕様でなくても良い。例えば、子機における半導体発光素子の個数と、親機における半導体発光素子の個数とが異なるものであっても良い（親機と子機とで照度が異なっていても良い。）。
（３）着脱自在
実施形態で説明した光源ユニット２１は、親機又は子機に対して着脱自在に装着できるように構成されている。しかしながら、光源として半導体発光素子を用いた場合、光源としての寿命が長くなり、光源ユニットを交換する必要も少なく、光源ユニットを親機又は子機に対して固定的に装着するようにしても良い。
２．親機及び子機
（１）センサユニット
実施形態では、親灯具１３のみセンサユニット２９を備えていた。しかしながら、親機はセンサユニットを備えていなくても良い。この場合、親機の筐体を子機の筐体と同じような構成すれば良い。さらには、子機はセンサユニットを備えても良い。また、親機と子機の両方がセンサユニットを備えても良い。この場合、子機は、実施形態における親機と同じ構成となる。
【００９４】
上述のように、親機がセンサユニットを備えたり、子機がセンサユニットを備えたりすると、親機及び子機の区別ができなくなるが、親機及び子機の区別は、商用電源に電気的に近い方（上流側である。）を親機とすれば良い。
（２）配置位置
実施形態における親灯具１３及び子機９は、天井壁に設けられている。しかしながら、実施形態に係るポーチライトとして、天井壁以外の位置に設けても良い。天井壁以外としては、例えば、玄関が設けられている玄関周辺の壁がある。この場合、玄関に向かって、玄関の両側に親機と子機を設けるようにしても良い。
（３）供給電流
実施形態では、親機７の光源ユニット２１と子機９の光源ユニット２１とが直列接続され、各光源ユニット２１に対して直流電流が供給されている。つまり、親機７の光源ユニット２１と子機９の光源ユニット２１との間に所定の機能を有する回路を設けても良い。
【００９５】
例えば、子機の光源ユニットに対して、並列に抵抗素子を設けることにより、親機の光源ユニットに流れる電流値と、子機の光源ユニットに流れる電流値とを変えるようにしても良い。これにより、親機と子機とで照度が異なる照明装置を得ることができる。
３．センサユニット
実施形態では、センサユニットは親機に存在していた。また、上記の変形例では、センサユニットが子機に存在する構成について説明した。しかしながら、センサユニットは、親機や子機に含まれない構成としても良い。この場合、センサユニットを単独で玄関周辺に設ける構成にすれば良い。
４．照明装置
（１）種類
実施形態では、ペア点灯用の照明装置として、玄関の外側であって玄関の上方に親機と子機とが設けられるポーチライトについて説明した。しかしながら、玄関ドアが設けられている壁であって玄関ドアに向かって当該玄関ドアの左右両側に設けるようなポーチライトであっても良い。
【００９６】
また、ポーチライト以外の他の照明装置にも適用できる。他の照明装置としては、玄関の内外において点灯するような照明装置や、門から玄関へのアプローチを点灯させるアプローチライト等がある。なお、アプローチライトの場合、親機及び子機は地面に設けられる。
また、実施形態では、親灯具及び子灯具が天井・壁等に埋め込まれるタイプであったが、他のタイプであっても良い。他のタイプとしては、例えば、親灯具及び子灯具が天井から吊り下げられるタイプであっても良いし、親灯具及び子灯具を天井や壁の平坦面に取着するようなタイプであっても良い。
（２）点灯モード
実施形態では、２種類の点灯モードで親灯具１３と子機９とが点灯していた。２種類の点灯モードは、調光点灯と全点灯である。しかしながら、３種類以上の点灯モードで親機及び子機を点灯させても良い。また、人を感知したときだけ点灯するような１種類の点灯モードで親機と子機とが点灯するようにしても良い。
（３）ペア点灯
実施形態では、親機と子機とが直列接続され、親機と子機とが同じモードで点灯されている。しかしながら、親機と子機との点灯モードが異なっても良い。例えば、周りが暗くなると親機だけ第１モードで点灯し、人を感知すると親機と子機とが第２モードで点灯するようなペア点灯でも良い。この場合、子機を親機に対して並列に接続し且つ子機への通電路にスイッチング素子を配し、制御回路部が人を感知する信号を受信すると、子機への導通（スイッチング素子）をオンすれば実施できる。
５．親機と電源ユニット
実施形態では、電源ユニット１５と親灯具１３とが別体で構成されている。しかしながら、電源ユニットと親灯具とが１つの筐体内に格納されるような、つまり、電源ユニットと親灯具とが一体になった構成にしても良い。具体的には、親灯具の筐体内に、電源ユニットの筐体内に格納されていた電力変換回路部と制御回路部とを格納するようにすれば良い。
【符号の説明】
【００９７】
１    ポーチライト
７    親機
９    子機
１３    親灯具
１５    電源ユニット
１９    子灯具
２１    光源ユニット
【図１】
2014032824.tif 000003
【図２】
2014032824.tif 000004
【図３】
2014032824.tif 000005
【図４】
2014032824.tif 000006
【図５】
2014032824.tif 000007
【図６】
2014032824.tif 000008
【図７】
2014032824.tif 000009
【図８】
2014032824.tif 000010
【図９】
2014032824.tif 000011
【図１０】
2014032824.tif 000012
【図１１】
2014032824.tif 000013
【図１２】
2014032824.tif 000014
【図１３】
2014032824.tif 000015
【図１４】
2014032824.tif 000016
【図１５】
2014032824.tif 000017